(57)【要約】【課題】部品点数が増加するのを抑制するとともに、発光面をムラなく光らせることが可能な画像形成装置を提供する。【解決手段】表示用の光を出射する表示用ＬＥＤ１１と、表示用ＬＥＤ１１を取り囲むように配置されるとともに、周状の発光面と、表示用ＬＥＤ１１から出射される光を発光面３２ａに導く周状の導光部３２ｂと、周状の導光部３２ｂの内側に、導光部３２ｂと連続するとともに、表示用ＬＥＤ１１を覆うように設けられた導光機能を有するドーム部３２ｃとを含む導光部材３２とを備え、導光部材３２のドーム部３２ｃは、周状の発光面３２ａに導かれる表示用ＬＥＤ１１から出射された光を調整する調整穴部３２ｄを有する。【選択図】図５
2008173899.tif 000002
【特許請求の範囲】
【請求項１】
表示用の光を出射する複数の発光素子部を備えた画像形成装置において、
前記複数の発光素子部を取り囲むように配置されるとともに、周状の発光面と、前記複数の発光素子部から出射される光を前記発光面に導く周状の導光部と、前記周状の導光部の内側に、前記導光部と連続するとともに、前記複数の発光素子部を覆うように設けられた導光機能を有するドーム部とを含む導光部材と、
前記複数の発光素子部の配置領域の近傍に配置される赤外線通信用の受信部とをさらに備え、
前記導光部材の前記ドーム部は、前記周状の発光面に導かれる前記複数の発光素子部から出射された光を調整する穴部を有し、
前記周状の発光面は、平面的に見て円周状に形成されており、
前記ドーム部の前記穴部は、前記円周状の発光面に沿って形成された円弧状の長穴形状を有し、
前記穴部の長穴形状の幅は、実質的に均一に形成され、
前記複数の発光素子部が配置される領域の中心部は、平面的に見て、前記ドーム部の中心部に対して前記穴部側の位置に配置されている、画像形成装置。
【請求項２】
表示用の光を出射する発光素子部と、
前記発光素子部を取り囲むように配置されるとともに、周状の発光面と、前記発光素子部から出射される光を前記発光面に導く周状の導光部と、前記周状の導光部の内側に、前記導光部と連続するとともに、前記発光素子部を覆うように設けられた導光機能を有するドーム部とを含む導光部材とを備え、
前記導光部材の前記ドーム部は、前記周状の発光面に導かれる前記発光素子部から出射された光を調整する穴部を有する、画像形成装置。
【請求項３】
前記周状の発光面は、平面的に見て円周状に形成されており、
前記ドーム部の前記穴部は、前記円周状の発光面に沿って形成された円弧状の長穴形状を有する、請求項２に記載の画像形成装置。
【請求項４】
前記穴部の長穴形状の幅は、実質的に均一に形成されている、請求項３に記載の画像形成装置。
【請求項５】
前記発光素子部の配置領域の近傍に配置される赤外線通信用の受信部をさらに備え、
前記穴部は、前記発光素子部の配置領域側に配置されている、請求項２〜４のいずれか１項に記載の画像形成装置。
【請求項６】
前記発光素子部は複数配置され、前記複数の発光素子部が配置される領域の中心部は、平面的に見て、前記ドーム部の中心部に対して前記穴部側の位置に配置されている、請求項２〜５のいずれか１項に記載の画像形成装置。
【発明の詳細な説明】
【技術分野】
【０００１】
この発明は、画像形成装置に関し、特に、表示用の光を出射する発光素子部を備えた画像形成装置に関する。
【背景技術】
【０００２】
従来、表示用の光を出射する発光素子部を有するスイッチやボタン（たとえば、特許文献１〜５参照）、またはそのようなスイッチやボタンを含む画像形成装置が知られている。
【０００３】
上記特許文献１には、発光面を有するとともに押圧式のボタンとしての機能を有するクリックゴム（スイッチ部）と、ＬＥＤ（発光素子部）と、内側にＬＥＤを含むとともにクリックゴムの下側に位置し、クリックゴムを支持するハウジングとを備えた照光式押釦スイッチが開示されている。この特許文献１に記載の照光式押釦スイッチでは、ＬＥＤがハウジングのクリックゴムの中心部に対向する位置に配置されることによって、クリックゴムの発光面をムラなく光らせることが可能である。
【０００４】
上記特許文献２には、シート状に形成され、発光面を有するとともに押圧式のボタンとしての機能を有する保持シート（スイッチ部）と、光源（発光素子部）と、光源を含むとともに保持シートの下側に設置されたプリント基板とを備えた照光付スイッチ装置が開示されている。この特許文献２に記載の照光付スイッチ装置では、光源が保持シートの中心部に対向する位置に配置されることによって、保持シートの発光面をムラなく光らせることが可能である。
【０００５】
上記特許文献３には、発光面を有する押釦（スイッチ部）と、発光素子とを備えた押釦が開示されている。この特許文献３に記載の押釦では、発光素子が押釦の押圧面の反対側の面の中心部に対向する位置に配置されることによって、押釦の発光面をムラなく光らせることが可能である。
【０００６】
上記特許文献４には、一方面に発光面を有するとともに、他方面に光を均一化するフレネルプリズムが形成された照光ボタン（スイッチ部）と、発光ダイオード（発光素子部）とを備えた照光ボタン装置が開示されている。この特許文献４に記載の照光ボタン装置では、フレネルプリズムが、照光ボタンの中心部を中心として同心円状に形成されるとともに、発光ダイオードが、照光ボタンの中心部に対向する位置に配置されることによって、照光ボタンの発光面をムラなく光らせることが可能である。
【０００７】
上記特許文献５には、発光体（発光素子部）と、発光面を有するとともに発光体が発した光を発光面に導く導光部材とを備えたボタンスイッチが開示されている。この特許文献５に記載のボタンスイッチでは、導光部材は、発光体側に配置される導光基端部と、発光面を有するとともに光拡散材を含む導光先端部との異なる材質からなる部材によって構成されている。また、このボタンスイッチでは、発光体から出射された光が光拡散材を含む導光先端部を通過することによって、発光面をムラなく光らせることが可能である。
【０００８】
【特許文献１】特開平０５−３０７９２２号公報
【特許文献２】特開２００２−２６０４７９号公報
【特許文献３】特開平０９−２８２９７２号公報
【特許文献４】特開平０５−０４１１３４号公報
【特許文献５】特開２００５−０８４４６０号公報
【発明の開示】
【発明が解決しようとする課題】
【０００９】
しかしながら、上記特許文献１〜３に記載の種々のスイッチやボタンでは、スイッチ部の発光面をムラなく光らせるためにスイッチ部の発光面の中心部に対向する位置に発光素子部を配置しており、スイッチ部の発光面の中心部に対向する位置からずれた位置に発光素子部を配置した場合、スイッチ部の発光面をムラなく光らせるのが困難であるという問題点がある。
【００１０】
また、上記特許文献４に記載の照光ボタン装置では、照光ボタンの発光面をムラなく発光させるために、フレネルプリズムを照光ボタンの中心部を中心として同心円状に形成するとともに、発光ダイオードを照光ボタンの中心部に対向する位置に配置しており、照光ボタンの中心部に対向する位置からずれた位置に発光ダイオードを配置した場合、照光ボタンの発光面をムラなく光らせるのが困難であるという問題点がある。
【００１１】
また、上記特許文献５に記載のボタンスイッチでは、発光面をムラなく光らせるために、導光部材を、導光基端部と導光先端部との異なる材質からなる部材によって構成しているので、部品点数が増加するという問題点がある。
【００１２】
したがって、このようなスイッチやボタンを画像形成装置に用いた場合に、画像形成装置のスイッチやボタンの発光面を、ムラなく光らせることが困難であるという問題点がある。
【００１３】
この発明は、上記のような課題を解決するためになされたものであり、この発明の１つの目的は、部品点数が増加するのを抑制するとともに、発光素子部が発光面の中心部からずれた位置に配置される場合にも発光面をムラなく光らせることが可能な画像形成装置を提供することである。
【課題を解決するための手段および発明の効果】
【００１４】
この発明の第１の局面による画像形成装置は、表示用の光を出射する複数の発光素子部を備えた画像形成装置において、複数の発光素子部を取り囲むように配置されるとともに、周状の発光面と、複数の発光素子部から出射される光を発光面に導く周状の導光部と、周状の導光部の内側に、導光部と連続するとともに、複数の発光素子部を覆うように設けられた導光機能を有するドーム部とを含む導光部材と、複数の発光素子部の配置領域の近傍に配置される赤外線通信用の受信部とをさらに備える。そして、導光部材のドーム部は、周状の発光面に導かれる複数の発光素子部から出射された光を調整する穴部を有し、周状の発光面は、平面的に見て円周状に形成されており、ドーム部の穴部は、円周状の発光面に沿って形成された円弧状の長穴形状を有し、穴部の長穴形状の幅は、実質的に均一に形成され、穴部は、複数の発光素子部の配置領域側に配置され、複数の発光素子部が配置される領域の中心部は、平面的に見て、ドーム部の中心部に対して穴部側の位置に配置されている。
【００１５】
この第１の局面による画像形成装置では、上記のように、表示用の光を出射する発光素子部と、発光素子部を取り囲むように配置されるとともに、周状の発光面と、発光素子部から出射される光を発光面に導く周状の導光部と、周状の導光部の内側に、導光部と連続するとともに、発光素子部を覆うように設けられた導光機能を有するドーム部とを含む導光部材とを備え、導光部材のドーム部は、周状の発光面に導かれる発光素子部から出射された光を調整する穴部を有するように構成することによって、ドーム部内を通過する発光素子部からの光を穴部により調整した状態で周状の発光面に導くことができるので、発光素子部を導光部材の発光面の中心部に対向する位置からずれた位置に配置する場合にも、発光面をムラなく光らせることができる。また、導光部材のドーム部を、周状の発光面に導かれる発光素子部から出射された光を調整する穴部を有するように構成することのみによって、発光面をムラなく光らせることができるので、導光部材を異なる材質からなる２つの部材により構成する場合と異なり、部品点数が増加するのを抑制することができる。
【００１６】
また、第１の局面による画像形成装置では、周状の発光面は、平面的に見て円周状に形成されており、ドーム部の穴部は、円周状の発光面に沿って形成された円弧状の長穴形状を有することによって、円周状の発光面に沿って穴部を配置することができるので、ドーム部内を通過する発光素子部からの光を容易に調整した状態で円周状の発光面に導くことができる。また、穴部の長穴形状の幅は、実質的に均一に形成されていることによって、穴部を容易に、円周状の発光面に沿って円弧状の長穴形状に形成することができる。また、発光素子部の配置領域近傍に配置される赤外線通信用の受信部をさらに備え、発光素子部は、複数配置され、複数の発光素子部が配置される領域の中心部は、平面的に見て、ドーム部の中心部に対して穴部側の位置に配置されていることによって、ドーム部の穴部を複数の発光素子部に近づけて配置することができるので、ドーム部内を通過する複数の発光素子部からの光を、穴部により、容易に調整することができる。
【００１７】
この発明の第２の局面による画像形成装置は、表示用の光を出射する発光素子部と、発光素子部を取り囲むように配置されるとともに、周状の発光面と、発光素子部から出射される光を発光面に導く周状の導光部と、周状の導光部の内側に、導光部と連続するとともに、発光素子部を覆うように設けられた導光機能を有するドーム部とを含む導光部材とを備え、導光部材のドーム部は、周状の発光面に導かれる発光素子部から出射された光を調整する穴部を含む。
【００１８】
この第２の局面による画像形成装置では、上記のように、表示用の光を出射する発光素子部と、発光素子部を取り囲むように配置されるとともに、周状の発光面と、発光素子部から出射される光を発光面に導く周状の導光部と、周状の導光部の内側に、導光部と連続するとともに、発光素子部を覆うように設けられた導光機能を有するドーム部とを含む導光部材とを備え、導光部材のドーム部は、周状の発光面に導かれる発光素子部から出射された光を調整する穴部を有するように構成することによって、ドーム部内を通過する発光素子部からの光を穴部により調整した状態で周状の発光面に導くことができるので、発光素子部を導光部材の発光面の中心部に対向する位置からずれた位置に配置する場合にも、発光面をムラなく光らせることができる。また、導光部材のドーム部を、周状の発光面に導かれる発光素子部から出射された光を調整する穴部を有するように構成することのみによって、発光面をムラなく光らせることができるので、導光部材を異なる材質からなる２つの部材により構成する場合と異なり、部品点数が増加するのを抑制することができる。
【００１９】
上記第２の局面による画像形成装置において、好ましくは、周状の発光面は、平面的に見て円周状に形成されており、ドーム部の穴部は、円周状の発光面に沿って形成された円弧状の長穴形状を有する。このように構成すれば、円周状の発光面に沿って穴部を配置することができるので、ドーム部内を通過する発光素子部からの光を容易に調整した状態で円周状の発光面に導くことができる。
【００２０】
この場合、好ましくは、穴部の長穴形状の幅は、実質的に均一に形成されている。このように構成すれば、穴部を容易に、円周状の発光面に沿って円弧状の長穴形状に形成することができる。
【００２１】
上記第２の局面による画像形成装置において、好ましくは、発光素子部の配置領域近傍に配置される赤外線通信用の受信部をさらに備え、穴部は、発光素子部の配置領域側に配置されている。このように構成すれば、ドーム部の穴部を発光素子部に近づけて配置することができるので、ドーム部内を通過する発光素子部からの光を、穴部により、容易に調整することができる。
【００２２】
上記第２の局面による画像形成装置において、好ましくは、発光素子部は、複数配置され、複数の発光素子部が配置される領域の中心部は、平面的に見て、ドーム部の中心部に対して穴部側の位置に配置されている。このように構成すれば、ドーム部の穴部を複数の発光素子部に近づけて配置することができるので、ドーム部内を通過する複数の発光素子部からの光を、穴部により、容易に調整することができる。
【発明を実施するための最良の形態】
【００２３】
以下、本発明を具体化した実施形態を図面に基づいて説明する。
【００２４】
図１は、本発明の一実施形態による昇華型プリンタの全体構成を示した斜視図である。図２〜図１１は、図１に示した本発明の一実施形態による昇華型プリンタの詳細を示す図である。まず、図１〜図１１を参照して、本発明の一実施形態による昇華型プリンタ１の構造について説明する。なお、本実施形態では、画像形成装置の一例である昇華型プリンタに本発明を適用した場合について説明する。
【００２５】
本実施形態による昇華型プリンタ１は、図１および図２に示すように、筐体１０と、筐体１０の内部に収納される印画部２０（図２参照）と、筐体上面１０ａに配置される電源ボタン３０とを備えている。筐体１０の矢印Ａ方向の筐体前面１０ｂには、用紙４０が収納される用紙カセット５０が着脱可能に装着されている。なお、本実施形態では、昇華型プリンタ１と赤外線通信が可能な機器として、カメラ機能を有する携帯電話６０を想定している。
【００２６】
また、図１に示すように、筐体１０は、上述の筐体上面１０ａ、矢印Ａ方向の筐体前面１０ｂに加えて、矢印Ｂ方向の筐体背面１０ｃ、筐体下面１０ｄ、矢印Ｃ方向の筐体側面１０ｅおよび矢印Ｄ方向の筐体側面１０ｆによって構成されている。また、図２に示すように、筐体上面１０ａは、水平面に対して傾斜するように形成されるとともに、傾斜面に電源ボタン３０を取り付けるための開口部１０ｇを有する。また、筐体上面１０ａには、開口部１０ｇの前方側（矢印Ａ方向側）の内側面に、電源ボタン３０を取り付けるための突起部（ボス部）１０ｈが一体的に設けられている。また、筐体前面１０ｂには、用紙カセット５０（図１参照）を取り付けるための用紙カセット取付口１０ｉが設けられている。
【００２７】
ここで、本実施形態では、図２および図３に示すように、筐体１０の内部の印画部２０の上方に、表示用の光を出射する４つの表示用ＬＥＤ１１が設けられているとともに、表示用ＬＥＤ１１と隣接する位置に赤外線信号を受信可能な赤外線受信部１２が配置されている。なお、表示用ＬＥＤ１１は、本発明の「発光素子部」の一例である。また、赤外線受信部１２は、本発明の「赤外線通信用の受信部」の一例である。
【００２８】
また、赤外線受信部１２は、約３０度（±約１５度）の範囲で携帯電話６０（図１参照）から赤外線信号を受信可能なように構成されている。また、４つの表示用ＬＥＤ１１は、図２および図３に示すように、水平に設置された基板１３に配置されている。また、基板１３には、４つの表示用ＬＥＤ１１に取り囲まれる位置にスイッチ部１４が配置されるとともに、４つの表示用ＬＥＤ１１の矢印Ｃ方向側および矢印Ｄ方向側にそれぞれ電子部品１３ａおよび１３ｂが配置されている。また、赤外線受信部１２は、図２に示すように、水平方向に対して約１５度上向きの方向（矢印Ｕ方向）に設置された基板１５に配置されている。これによって、約３０度（±約１５度）の範囲で赤外線信号の受信が可能な赤外線受信部１２は、筐体１０が水平に設置された状態において、約１５度上向きの方向に対して±約１５度の範囲（水平面から上方側に約３０度の範囲）で赤外線信号を受信することが可能となる。また、基板１５には、赤外線受信部１２の後方側（矢印Ｂ方向側）に電子部品１５ａ、１５ｂおよび１５ｃが設置されている。また、図２および図３に示すように、基板１５は、台座１６に配置される基板台１７によって支持されている。また、台座１６の上面の基板台１７の後方側（矢印Ｂ方向側）には、脚部１８（図２参照）を介して基板１３が設置されている。
【００２９】
また、図２に示すように、印画部２０は、金属製のシャーシ２１によって底部および側部を覆われるとともに、インクシート２２ａが収納されたインクシートカートリッジ２２を装着可能に構成されている。また、印画部２０は、印画を行うための印字ヘッド部２３と、印字ヘッド部２３に対向するように配置されたプラテンローラ２４ａと、金属製の送りローラ２４ｂと、所定の押圧力で送りローラ２４ｂを押圧する金属製の押さえローラ２４ｃと、ゴム製の給紙ローラ２４ｄと、ゴム製の排紙ローラ２４ｅと、樹脂製の下部用紙ガイド２５ａと、樹脂製の上部用紙ガイド２５ｂと、インクシートカートリッジ２２を支持するインクシートカートリッジ支持部２６と、メイン基板２７と、天板２８とを含むように構成されている。
【００３０】
また、シャーシ２１は、底面２１ａと、図１の矢印Ｃ方向側に図示しない一方側面と、矢印Ｄ方向側に他方側面２１ｂとによって形成されている。また、一方側面（図示せず）の上端部および他方側面２１ｂの上端部には、それぞれ、メイン基板２７を取り付けるための取付部２１ｃが２つずつ形成されている。また、取付部２１ｃには、メイン基板２７を固定するためのネジ２９ａが螺合されるネジ孔２１ｄが形成されている。また、インクシートカートリッジ２２は、インクシート２２ａを巻取る巻取り部２２ｂと、インクシート２２ａを供給する供給部２２ｃとを含むように構成されている。また、インクシートカートリッジ２２の巻取り部２２ｂおよび供給部２２ｃは、それぞれ、巻取りボビン２２ｄおよび供給ボビン２２ｅを有する。また、メイン基板２７は、天板２８を介してシャーシ２１の取付部２１ｃに取り付けられている。具体的には、メイン基板２７は、メイン基板２７に設けられた４つの孔２７ａおよび天板２８に設けられた４つの孔２８ａに通された４つのネジ２９ａをシャーシ２１の取付部２１ｃのネジ孔２１ｄに締め付けることによって固定されている。また、メイン基板２７の上面には、筐体上面１０ａに設けられた開口部１０ｇに対向する位置に、台座１６が２つのネジ２９ｂによって取り付けられている。これによって、４つの表示用ＬＥＤ１１、スイッチ部１４および赤外線受信部１２は、開口部１０ｇに対向する位置に配置される。
【００３１】
また、図４および図５に示すように、電源ボタン３０（図１参照）は、赤外線フィルタ部材３１と、導光部材３２と、ボタン支持部３３とによって構成され、図２に示すように、筐体上面１０ａの開口部１０ｇに取り付けられている。また、赤外線フィルタ部材３１は、ドーム形状を有するとともに、可視光線を遮る一方で赤外線を透過することが可能なフィルタ機能を有している。
【００３２】
ここで、本実施形態では、図５および図６に示すように、導光部材３２は、円周状の発光面３２ａと、４つの表示用ＬＥＤ１１から出射される光を円周状の発光面３２ａに導く円周状の導光部３２ｂと、円周状の導光部３２ｂの内側に一体的に形成された円形状のドーム部３２ｃとによって構成されているとともに、表示用ＬＥＤ１１を覆うように配置されている。また、ドーム部３２ｃは、導光部３２ｂと同様に導光機能を有している。
【００３３】
また、本実施形態では、図５および図６に示すように、導光部材３２のドーム部３２ｃには、発光面３２ａに導かれる表示用ＬＥＤ１１の光量を調整するための調整穴部３２ｄが設けられている。なお、調整穴部３２ｄは、本発明の「穴部」の一例である。
【００３４】
また、図５、図６および図７に示すように、導光部材３２のドーム部３２ｃには、携帯電話６０（図１参照）から送信された赤外線信号がドーム部３２ｃを通過して赤外線受信部１２に受信させるための通過穴部３２ｅが設けられている。
【００３５】
ここで、本実施形態では、図６および図７に示すように、導光部材３２を上面から見た場合、ドーム部３２ｃの調整穴部３２ｄは、導光部材３２の発光面３２ａに沿うようにして円弧状の長穴形状に形成されている。具体的には、ドーム部３２ｃ（導光部材３２）は、中心線Ｘ１および中心線Ｘ２が交差する中心点（中心部）Ｘを中心とする円周状に形成されているとともに、調整穴部３２ｄも導光部材３２と同じ中心点（中心部）Ｘを中心として１８０度未満の所定の角度αになるように円弧状に長穴形状に形成されている。
【００３６】
また、本実施形態では、図７に示すように、導光部材３２の長穴形状の調整穴部３２ｄの幅Ｗは、実質的に均一に形成されている。また、調整穴部３２ｄの矢印Ｃ方向および矢印Ｄ方向における長さＬ１は、通過穴部３２ｅの矢印Ｃ方向および矢印Ｄ方向における長さＬ２よりも大きくなるように構成されている。
【００３７】
また、本実施形態では、図６に示すように、導光部材３２の調整穴部３２ｄは、中心線Ｘ１に対して表示用ＬＥＤ１１側（矢印B方向側）に位置するようにして配置されている。また、調整穴部３２ｄは、調整穴部３２ｄの円弧状の角度αおよび幅Ｗを調整することにより表示用ＬＥＤ１１の光を調整することができるように構成されている。
【００３８】
また、本実施形態では、図６に示すように、４つの表示用ＬＥＤ１１は、スイッチ部１４の矢印Ｃ方向および矢印Ｄ方向側に２つずつ配置されるとともに、４つのＬＥＤの中心部がスイッチ部１４（の中心点）になるように配置され、中心線Ｙ１および中心線Ｘ２からなるスイッチ部１４の中心点（中心部）Ｙはドーム部３２ｃの中心点Ｘに対して調整穴部３２ｄ側に配置されている。すなわち、４つの表示用ＬＥＤ１１の中心部およびスイッチ部１４は、ドーム部３２ｃの中心位置（中心点Ｘ）より調整穴部３２ｄ側に配置されている。
【００３９】
また、図８および図９に示すように、導光部材３２は、筐体上面１０ａの傾斜に沿って、前方側（図２の矢印Ａ方向側）が下がるように、水平面に対してβの角度で傾斜して形成されている。
【００４０】
また、図１０に示すように、導光部材３２の発光面３２ａおよび導光部３２ｂには、光を拡散させる微細な凹凸形状を形成するシボ加工を施すことにより、光が拡散した状態で発光して発光面３２ａを均一に光らせることが可能なように構成されている。
【００４１】
また、図８に示すように、ドーム部３２ｃには、電源ボタン３０（図１参照）が押圧される際に、スイッチ部１４（図３参照）を押圧するためのスイッチ押圧部３２ｆが、スイッチ部１４に対向する位置に設けられている。また、ドーム部３２ｃの外側表面３２ｇには、表示用ＬＥＤ１１から出射し、ドーム部３２ｃの内部に入射した光が、外側表面３２ｇから出射するのを抑制するために、光を反射させる機能を有する白い塗装からなる反射層３４が形成されている。また、ドーム部３２ｃの反射層３４が形成された外側表面３２ｇには、赤外線フィルタ部材３１が両面テープ（図示せず）によって取り付けられている。
【００４２】
また、図５、図８および図１１に示すように、ボタン支持部３３は、筐体上面１０ａの突起部１０ｈに取り付けるための取付部３３ａと、導光部３２ｂの外周側面と接するように内周面３３ｂが形成されるリング部３３ｃと、取付部３３ａとリング部３３ｃとを繋ぐアーム部３３ｄとによって構成されている。また、取付部３３ａは、突起部１０ｈに挿入（圧入）可能な挿入孔３３ｅを有する。また、取付部３３ａは、挿入孔３３ｅに突起部１０ｈが軽圧入されることによって、上部が筐体上面１０ａに取り付けられるとともに、下面が天板２８の上面に接するように構成されていることにより、ボタン支持部３３の取付部３３ａは固定されている。また、リング３３ｃは、内周面３３ｂの下部に導光部材３２が抜け落ちるのを防止するＬ字形状の受け部３３ｆを有する。また、図５に示すように、リング部３３ｃには、赤外線フィルタ部材３１が取り付けられた導光部材３２が矢印Ｅ方向に挿入されて電源ボタン３０が組み立てられる。また、アーム部３３ｄは、一方端部が取付部３３ａの上端に固定されるとともに、他方端部がリング部３３ｃの下面に固定されている。つまり、組み立てられた電源ボタン３０は、固定された取付部３３ａから伸びるアーム部３３ｄによって支持されている。具体的には、図８に示すように、ボタン支持部３３の取付部３３ａが固定された電源ボタン３０は、矢印Ｅ方向の押圧力Ｐに対して、アーム部３３ｄが、アーム部３３ｄの取付部３３ａ側の一方端部を支点として撓むことによって、押圧方向（矢印Ｅ方向）に移動可能に支持されている。これによって、電源ボタン３０が、矢印Ｅ方向に押圧されると、アーム部３３ｄが取付部３３ａ側の一方端部を支点として撓むので、導光部材３２に設けられたスイッチ押圧部３２ｆは、押圧方向に移動され、スイッチ部１４が押圧される。また、押圧力Ｐが解除されると、撓み変形されたアーム部３３ｄの上方への付勢力によって上方に移動されて、電源ボタン３０は元の位置に復帰される。
【００４３】
図１２および図１３は、本発明の一実施形態による昇華型プリンタの表示用ＬＥＤから出射された光の通過経路を説明するための断面図および平面図である。次に、図６、図７、図１２および図１３を参照して、本発明の一実施形態による昇華型プリンタ１の表示用ＬＥＤ１１から出射された光の通過経路を説明する。
【００４４】
図１２および図１３に示すように、表示用ＬＥＤ１１から出射された光は、導光部材３２のドーム部３２ｃの内側表面および導光部３２ｂの内周側面に照射される。ドーム部３２ｃの内側表面に照射され、ドーム部３２ｃの内部に入射した光は、外側表面３２ｇの反射層３４によって反射される。反射した光は、内側表面および外側表面３２ｇで反射を繰り返しながら、ドーム部３２ｃの内部を通って発光面３２ａに到達する。また、導光部３２ｂの内周側面に照射され、導光部３２ｂの内部に入射した光は、導光部３２ｂの下面、外周側面および内周側面で反射を繰り返しながら、導光部３２ｂの内部を通って発光面３２ａに到達する。
【００４５】
ここで、上述したように、４つの表示用ＬＥＤ１１の中心部は、導光部材３２の中心線Ｘ１（図６参照）に対して調整穴部３２ｄ側（矢印Ｂ方向側）に配置されているので、ドーム部３２ｃの調整穴部３２ｄ側（矢印Ｂ方向側）の部分には、表示用ＬＥＤ１１から出射された光が到達しやすい。その一方、赤外線受信部１２が、導光部材３２の中心線Ｘ１（図６参照）に対して調整穴部３２ｄとは反対側（矢印Ａ方向側）に配置されているので、赤外線受信部１２が光の通路に対しての障害物となり、ドーム部３２ｃの調整穴部３２ｄとは反対側（矢印Ａ方向側）の部分には、表示用ＬＥＤ１１から出射された光が到達しにくい。すなわち、ドーム部３２ｃの矢印Ｂ方向側の部分は、矢印Ａ方向側の部分に比べて光が到達されやすいので、円周状の発光面３２ａの矢印Ｂ方向側の部分は、矢印Ａ方向側の部分に比べて明るく光りやすくなる。
【００４６】
また、ドーム部３２ｃの矢印Ａ方向側の部分には、通過穴部３２ｅが形成されているために、ドーム部３２ｃの内部を通過穴部３２ｅに向かって通過する光は通過穴部３２ｅに到達した際にドーム部３２ｃから出射されて導光部３２ｄおよび発光面３２ａにはほとんど到達しない。このため、円周状の発光面３２ａの矢印Ａ方向側の部分は、暗くなりやすい。
【００４７】
ここで、本実施形態では、ドーム部３２ｃの矢印Ｂ方向側の部分には、調整穴部３２ｄが形成されているために、ドーム部３２ｃの内部を調整穴部３２ｄに向かって通過する光は、調整穴部３２ｄに到達した際にドーム部３２ｃから出射されて導光部３２ｂおよび発光面３２ａにはほとんど到達しない。さらに本実施形態では、調整穴部３２ｄの矢印Ｃ方向および矢印Ｄ方向の長さＬ１（図７参照）は、Ｌ２（図７参照）に比べて大きくなるように構成されており、ドーム部３２ｃの矢印Ｂ方向側を通過して導光部３２ｂおよび発光面３２ａに到達する光とドーム部３２ｃの矢印Ａ方向側を通過して導光部３２ｂおよび発光面３２ａに到達する光とは同程度の明るさになる。すなわち、本実施形態では、調整穴部３２ｄによりドーム部３２ｃ内を通過する光が調整された状態で発光面３２ａに導かれることによって、発光面３２ａがムラなく光る。
【００４８】
本実施形態では、上記のように、表示用の光を出射する表示用ＬＥＤ１１と、表示用ＬＥＤ１１を取り囲むように配置されるとともに、周状の発光面３２ａと、表示用ＬＥＤ１１から出射される光を発光面３２ａに導く周状の導光部３２ｂと、周状の導光部３２ｂの内側に、導光部３２ｂと連続するとともに、表示用ＬＥＤ１１を覆うように設けられた導光機能を有するドーム部３２ｃとを含む導光部材３２とを備え、導光部材３２のドーム部３２ｃは、周状の発光面３２ａに導かれる表示用ＬＥＤ１１から出射された光を調整する調整穴部３２ｄを有するように構成することによって、ドーム部３２ｃ内を通過する表示用ＬＥＤ１１からの光を調整穴部３２ｄにより調整した状態で周状の発光面３２ａに導くことができるので、表示用ＬＥＤ１１を導光部材３２の発光面３２ａの中心部に対向する位置からずれた位置に配置する場合にも、発光面３２ａをムラなく光らせることができる。また、導光部材３２のドーム部３２ｃを、周状の発光面３２ｃに導かれる表示用ＬＥＤ１１から出射された光を調整する調整穴部３２ｄを有するように構成することのみによって、発光面をムラなく光らせることができるので、導光部材３２を異なる材質からなる２つの部材により構成する場合と異なり、部品点数が増加するのを抑制することができる。
【００４９】
また、本実施形態では、周状の発光面３２ａは、平面的に見て円周状に形成されており、ドーム部３２ｃの調整穴部３２ｄは、円周状の発光面３２ａに沿って所定の角度αになるように形成された円弧状の長穴形状を有することによって、円周状の発光面３２ａに沿って調整穴部３２ｄを配置することができるので、ドーム部３２ｃ内を通過する表示用ＬＥＤ１１からの光を容易に調整した状態で円周状の発光面３２ａに導くことができる。また、調整穴部３２ｄの角度αを調整することによって、ドーム部３２ｃ内を通過する表示用ＬＥＤ１１からの光を、調整穴部３２ｄにより、容易に調整することができる。
【００５０】
また、本実施形態では、調整穴部３２ｄの長穴形状の幅Ｗは、実質的に均一に形成されていることによって、調整穴部３２ｄを容易に、円周状の発光面３２ａに沿って円弧状の長穴形状に形成することができる。また、調整穴部３２ｄの長穴形状の幅Ｗは、幅Ｗの長さを調整することによって、ドーム部３２ｃ内を通過する表示用ＬＥＤ１１からの光を、調整穴部３２ｄにより、より容易に調整することができる。
【００５１】
また、本実施形態では、表示用ＬＥＤ１１の配置領域近傍に配置される赤外線受信部１２をさらに備え、調整穴部３２ｄは、表示用ＬＥＤ１１の配置領域側に配置されていることによって、ドーム部３２ｃの調整穴部３２ｄを表示用ＬＥＤ１１に近づけて配置することができるので、ドーム部３２ｃ内を通過する表示用ＬＥＤ１１からの光を、調整穴部３２ｄにより、さらに容易に調整することができる。
【００５２】
また、本実施形態では、４つの表示用ＬＥＤ１１が配置される領域の中心部は、平面的に見て、ドーム部３２ｃの中心部に対して調整穴部３２ｄ側の位置に配置されていることによって、ドーム部３２ｃの調整穴部３２ｄを４つの表示用ＬＥＤ１１に近づけて配置することができるので、ドーム部３２ｃ内を通過する４つの表示用ＬＥＤ１１からの光を、調整穴部３２ｄにより、さらに容易に調整することができる。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
たとえば、上記実施形態では、画像形成装置の一例としての昇華型プリンタに本発明を適用する例を示したが、本発明はこれに限らず、表示用の光を出射する発光素子部を備えた画像形成装置であれば、昇華型プリンタ以外の他の画像形成装置にも適用可能である。
【００５５】
また、上記実施形態では、ドーム部の穴部を円弧状の長穴形状に形成する例を示したが、本発明はこれに限らず、円弧状の長穴形状以外の形状に形成してもよい。
【００５６】
また、上記実施形態では、表示用ＬＥＤが円周状の導光部材の中心点Ｘに対して調整穴部側に配置される例を示したが、本発明はこれに限らず、表示用ＬＥＤを、導光部材の中心点に位置するように配置してもよい。
【００５７】
また、上記実施形態では、赤外線通信が可能な機器として携帯電話を示したが、本発明はこれに限らず、赤外線通信が可能な機器であれば、携帯電話以外の他の機器を用いてもよい。
【図面の簡単な説明】
【００５８】
【図１】本発明の一実施形態による昇華型プリンタの全体構成を示した斜視図である。
【図２】図１に示した本発明の一実施形態による昇華型プリンタの断面図である。
【図３】図１に示した本発明の一実施形態による昇華型プリンタの表示用ＬＥＤ周辺を示す平面図である。
【図４】図１に示した本発明の一実施形態による昇華型プリンタの電源ボタン周辺を示す斜視図である。
【図５】図１に示した本発明の一実施形態による昇華型プリンタの電源ボタン周辺の構成を示す分解斜視図である。
【図６】図１に示した本発明の一実施形態による昇華型プリンタの電源ボタン周辺を示す平面図である。
【図７】図１に示した本発明の一実施形態による昇華型プリンタの導光部材を示す平面図である。
【図８】図１に示した本発明の一実施形態による昇華型プリンタの電源ボタン周辺を示す断面図である。
【図９】図１に示した本発明の一実施形態による昇華型プリンタの導光部材を示す側面図である。
【図１０】図１に示した本発明の一実施形態による昇華型プリンタの導光部の微細な凹凸形状を示す拡大断面図である。
【図１１】図１に示した本発明の一実施形態による昇華型プリンタのボタン支持部を示す平面図である。
【図１２】図１に示した本発明の一実施形態による昇華型プリンタの表示用ＬＥＤから出射された光の通過経路を説明するための断面図である。
【図１３】図１に示した本発明の一実施形態による昇華型プリンタの表示用ＬＥＤから出射された光の通過経路を説明するための平面図である。
【符号の説明】
【００５９】
１          昇華型プリンタ（画像形成装置）
１１        表示用ＬＥＤ（発光素子部）
１２        赤外線受信部（赤外線通信用の受信部）
３２        導光部材
３２ａ      発光面
３２ｂ      導光部
３２ｃ      ドーム部
３２ｄ      調整穴部（穴部）
【図１】
2008173899.tif 000003
【図２】
2008173899.tif 000004
【図３】
2008173899.tif 000005
【図４】
2008173899.tif 000006
【図５】
2008173899.tif 000007
【図６】
2008173899.tif 000008
【図７】
2008173899.tif 000009
【図８】
2008173899.tif 000010
【図９】
2008173899.tif 000011
【図１０】
2008173899.tif 000012
【図１１】
2008173899.tif 000013
【図１２】
2008173899.tif 000014
【図１３】
2008173899.tif 000015